(57)【要約】【課題】光源特性に対応していないホワイトバランス調整に基づいて被写体像を表示することを防止する。【解決手段】電子内視鏡装置のプロセッサ２０内にランプ２４を設け、ビデオスコープ１０内にホワイトバランス調整処理を実行する初期信号処理回路１９を設ける。ビデオスコープ１０がプロセッサ２０に接続されると、オペレータがホワイトバランス調整スイッチ７０Ａを操作してホワイトバランス調整処理を実行させるまで、内視鏡作業を進行できないように被写体像の一部のみをモニタ５２に表示させる。ホワイトバランス調整処理が終了すると、被写体像全体をモニタ５２に表示させる。【選択図】        図１
2004344363.tif 000002
【特許請求の範囲】
【請求項１】
撮像素子を有するビデオスコープと前記ビデオスコープが接続されるプロセッサとを備えた電子内視鏡装置であって、
前記ビデオスコープ内に設けられ、前記撮像素子に形成される被写体像に応じた画像信号に対しホワイトバランス調整処理を実行する信号処理手段と、
前記ビデオスコープが前記プロセッサに接続されているか否かを判断するスコープ接続判別手段と、
前記ビデオスコープが前記プロセッサへ接続されている場合、ホワイトバランス調整が実行されるまで内視鏡作業を進行させない作業進行停止手段と
を備えたことを特徴とする電子内視鏡装置。
【請求項２】
作業進行停止手段が、ホワイトバランス調整の必要性を示すマスク表示と被写体像を全体的に表示する通常表示とを切り替え可能な映像表示制御手段を有することを特徴とする請求項１に記載の電子内視鏡装置。
【請求項３】
前記映像表示制御手段が、画面上で被写体像の一部のみを表示させることを特徴とする請求項２に記載の電子内視鏡装置。
【請求項４】
ホワイトバランス調整が完了したか否かを判別するホワイトバランス完了判別手段をさらに有し、
前記映像表示制御手段が、ホワイトバランス調整が完了すると被写体像を通常表示することを特徴とする請求項２に記載の電子内視鏡装置。
【請求項５】
被写体を照明するための光源が点灯してから安定して光を放射するまでの準備期間に基づいた前記光源の種類の判別を行う光源種類判別手段をさらに有し、
前記作業進行停止手段が、少なくとも前記光源の種類に応じた準備期間が過ぎるまで内視鏡作業を進行させないことを特徴とする請求項１に記載の電子内視鏡装置。
【請求項６】
被写体を照明するための光源を点灯してから安定して光を放射するまでの準備期間に基づいて前記光源の種類を判別する光源種類判別手段と、
前記光源に電源が供給されてからの経過時間が前記準備期間を超えているか否か判断する経過時間判別手段と、
前記映像表示制御手段が、前記光源の種類に応じた準備期間が過ぎるまで被写体像を実質的に表示させず、前記準備期間経過後には被写体像の一部を表示することを特徴とする請求項２に記載の電子内視鏡装置。
【請求項７】
撮像素子を有するビデオスコープと前記ビデオスコープが接続されるプロセッサとを備えた電子内視鏡装置における映像表示制御方法であって、
前記ビデオスコープが前記プロセッサに接続されているか否かを判断し、
前記ビデオスコープが前記プロセッサへ接続されている場合、前記ビデオスコープ内でホワイトバランス調整が実行されるまで内視鏡作業を進行させず、
ホワイトバランス調整が実行されると、被写体像を全体的に画面に表示させることを特徴とする内視鏡用映像表示制御方法。
【請求項８】
撮像素子を有するビデオスコープと前記ビデオスコープが接続されるプロセッサとを備えた電子内視鏡装置における映像表示制御のプログラムであって、
前記ビデオスコープが前記プロセッサに接続されているか否かを判断するスコープ接続判別手段と、
前記ビデオスコープが前記プロセッサへ接続されている場合、前記ビデオスコープ内でホワイトバランス調整が実行されるまで内視鏡作業を進行させない作業進行停止手段と
を機能させることを特徴とするプログラム。
【発明の詳細な説明】
【０００１】
【発明の属する技術分野】
本発明は、撮像素子を有するビデオスコープおよびビデオスコープが接続されるプロセッサを備えた電子内視鏡装置に関し、特に、被写体像の色を適正に再現するためのホワイトバランス調整に関する。
【０００２】
【従来の技術】
従来の電子内視鏡装置では、観察部位のカラー画像を適正に再現するため、観察前にホワイトバランス調整が行われる（例えば、特許文献１参照）。具体的には、ビデオスコープを介して白い被写体（白色ボートなど）を撮影し、原色に応じたＲ，Ｇ，Ｂ画像信号のＲ，Ｇ，Ｂの比が１：１：１となるようにＲ，Ｂのゲイン値が調整される。Ｒ，Ｂゲイン値はランプ等の光源の色温度、すなわち分光分布特性に従って設定される。
【０００３】
【特許文献１】
特開平６−１４２０３８号公報（図１１〜図１６）
【０００４】
【発明が解決しようとする課題】
長時間使用するにつれて分光分布特性が変化するランプ（経時変化のあるランプ）の場合、以前行ったホワイトバランス調整時に設定されたＲ，Ｂゲイン値のままでは観察画像の色再現性が適正でなくなる。また、観察部位対象が同じである同種類のプロセッサあるいは観察部位対象が異なるプロセッサ間同士に対してビデオスコープは接続可能であるため、ホワイトバランス調整されて内視鏡作業が行われた後に前回とは特性の異なる光源を備えたプロセッサへビデオスコープが新たに接続された場合、Ｒ，Ｂゲイン値がその光源に対応していないため、被写体像の色再現性が悪化する。その結果、部位の観察に支障を来たし、診断、処置、手術等に悪影響を及ぼす。
【０００５】
そこで本発明では、光源特性に対応していないホワイトバランス調整に基づいて被写体像を表示することを防止することができる電子内視鏡装置等を得ることを目的とする。
【０００６】
【課題を解決するための手段】
本発明の電子内視鏡装置は、撮像素子を有するビデオスコープとビデオスコープが接続されるプロセッサとを備えた電子内視鏡装置であって、ビデオスコープ内に設けられ、撮像素子に形成される被写体像に応じた画像信号に対しホワイトバランス調整処理を実行する信号処理手段とを備える。例えば、信号処理手段は、原色に対応するＲ，Ｇ，Ｂ画像信号のＲ，Ｇ，Ｂの比が１：１：１となるようにＲ、Ｂゲイン値を調整する。一度ホワイトバランス調整が行われると、設定されたＲ，Ｂゲイン値に基づいて画像信号に対しゲインコントロールが施される。
【０００７】
さらに本発明の電子内視鏡装置は、ビデオスコープが前記プロセッサに接続されているか否かを判断するスコープ接続判別手段と、前記ビデオスコープが前記プロセッサへ接続された場合、ホワイトバランス調整が実行されるまで内視鏡作業を進行させない作業進行停止手段とを備える。ホワイトバランス調整されると、被写体像はそのまま通常表示させればよい。
【０００８】
オペレータは内視鏡作業を進行することができないため、必然的にホワイトバランス調整が胃など部位の観察前に実行される。これにより、異なる光源の分光分布特性に従ったホワイトバランス調整に基づいて被写体像を表示することが防止され、被写体像の色が忠実に再現された状態で処置、手術等が確実に行われる。
【０００９】
オペレータにホワイトバランス調整の必要性を確実に報知するためには、被写体像の表示方法を設定変更するのがよい。そのため、作業進行停止手段は、ホワイトバランス調整の必要性を示すマスク表示と被写体像を全体的に表示する通常表示とを切り替え可能な映像表示制御手段を有することが好ましい。例えば映像表示制御手段は、画面上で観察に支障が出るように被写体像の一部のみを表示させる。また、映像だけでなく文字情報によってもホワイトバランス調整の必要性を報知するため、映像表示制御手段は、ホワイトバランス調整の実行開始を促すように文字情報を表示することが好ましい。
【００１０】
ホワイトバランスが調整された後自動的に被写体像を通常表示させるため、電子内視鏡装置は、ホワイトバランス調整が完了したか否かを判別するホワイトバランス完了判別手段をさらに有することが好ましい。この場合、映像表示制御手段は、ホワイトバランス調整が完了されると被写体像を通常表示に切り替える。
【００１１】
被写体を照明するための光源として例えばキセノンランプ、ハロゲンランプ、メタルハライドランプ等を使用する場合、ランプが点灯してから安定して光を放射するまでの期間（以下では、準備期間という）が存在し、ランプごとに期間の長さが異なる。ホワイトバランス調整は、準備期間を過ぎてから行われるのが望ましいことから、電子内視鏡装置は、準備期間に基づいた前記光源の種類の判別を行う光源種類判別手段をさらに有するのが好ましく、前記作業進行停止手段が、少なくとも前記光源の種類に応じた準備期間が過ぎるまで内視鏡作業を進行させない。例えば映像表示を制御する場合、映像表示制御手段は、前記光源の種類に応じた準備期間が過ぎるまで被写体像を実質的に表示させず、前記準備期間経過後には被写体像の一部を表示するのがよい。
【００１２】
本発明の電子内視鏡装置のプロセッサは、撮像素子を有するビデオスコープが接続される電子内視鏡装置のプロセッサであって、前記ビデオスコープが前記プロセッサに接続されているか否かを判断するスコープ接続判別手段と、前記ビデオスコープが前記プロセッサへ接続されている場合、ホワイトバランス調整が実行されるまで内視鏡作業を進行させない作業進行停止手段とを備えたことを特徴とする。
【００１３】
本発明の内視鏡用映像表示制御装置は、撮像素子を有するビデオスコープと前記ビデオスコープが接続されるプロセッサとを備えた電子内視鏡装置における映像表示制御装置であって、前記ビデオスコープが前記プロセッサに接続されているか否かを判断するスコープ接続判別手段と、前記ビデオスコープが前記プロセッサへ接続されている場合、前記ビデオスコープ内でホワイトバランス調整が実行されるまで内視鏡作業を進行させない作業進行停止手段とを備えたことを特徴とする。
【００１４】
本発明の内視鏡用映像表示制御方法は、撮像素子を有するビデオスコープと前記ビデオスコープが接続されるプロセッサとを備えた電子内視鏡装置における映像表示制御方法であって、前記ビデオスコープが前記プロセッサに接続されているか否かを判断し、前記ビデオスコープが前記プロセッサへ接続されている場合、前記ビデオスコープ内でホワイトバランス調整が実行されるまで内視鏡作業を進行させず、ホワイトバランス調整が実行されると、被写体像を全体的に画面に表示させることを特徴とする。
【００１５】
本発明のプログラムは、撮像素子を有するビデオスコープと前記ビデオスコープが接続されるプロセッサとを備えた電子内視鏡装置における映像表示制御のプログラムであって、前記ビデオスコープが前記プロセッサに接続されているか否かを判断するスコープ接続判別手段と、前記ビデオスコープが前記プロセッサへ接続されている場合、前記ビデオスコープ内でホワイトバランス調整が実行されるまで内視鏡作業を進行させない作業進行停止手段とを機能させることを特徴とする。
【００１６】
【発明の実施の形態】
以下では、図面を参照して本発明の実施形態である電子内視鏡装置について説明する。
【００１７】
図１は、第１の実施形態である電子内視鏡装置のブロック図である。
【００１８】
電子内視鏡装置は、ＣＣＤ１２を有するビデオスコープ１０と、ＣＣＤ１２から読み出される画像信号を処理するプロセッサ２０とを備える。ビデオスコープ１０はプロセッサ２０に着脱自在に接続され、プロセッサ２０にはモニタ５２とともにキーボード５０が接続される。手術、検査等を開始する時、ビデオスコープ１０がプロセッサ２０に接続される。
【００１９】
ランプ点灯スイッチ（図示せず）が操作されることによってランプ制御部１１Ａを含むランプ電源１１からランプ２４へ電源供給されると、ランプ２４が点灯する。ランプ２４から放射された光は、集光レンズ（図示せず）、絞り２２を介してビデオスコープ１０内に設けられた光ファイバー束１３の入射端１３ａに入射する。光ファイバー束１３は、ランプ２４から放射される光を観察部位のあるビデオスコープ１０の先端側へ伝達し、光ファイバー束１３を通った光は出射端１３ｂから出射する。これにより、観察部位に光が照射される。
【００２０】
観察部位で反射した光は、対物レンズ（図示せず）、カラーフィルタ（図示せず）を通ってＣＣＤ１２の受光面に到達し、これにより観察部位の被写体像がＣＣＤ１２の受光面に形成される。本実施形態では撮像方式として単板式が適用されており、ＣＣＤの受光面の上にはレッド（Ｒ）、グリーン（Ｇ）、ブルー（Ｂ）の色要素からなる原色のカラーフィルタ（図示せず）が配設されている。ＣＣＤ１２では、カラーフィルタを通る色に応じた被写体像の画像信号が光電変換により発生し、所定時間間隔ごとに１フレームもしくは１フィールド分の画像信号が順次読み出される。ここではカラーテレビジョン方式としてＮＴＳＣ方式が適用されており、１／３０（１／６０）秒間隔ごとに１フレーム（１フィールド）分の画像信号が順次読み出され、初期信号処理回路１９へ送られる。
【００２１】
初期信号処理回路１９では、読み出された画像信号に対して増幅処理が施されるとともに、アナログ信号からデジタル信号に変換される。そして、ホワイトバランスに係るゲインコントロール、ガンマ補正など様々な処理がデジタル画像信号に対して施され、輝度信号Ｙ、色差信号Ｃｂ、Ｃｒが生成される。輝度信号Ｙおよび色差信号Ｃｂ、Ｃｂは、プロセッサ２０のプロセッサ信号処理回路２８へ送られる。また、輝度信号Ｙは光量調整のためプロセッサ２０のシステムコントロール回路３６へ送られる。
【００２２】
プロセッサ信号処理回路２８に送られた輝度信号Ｙ、色差信号Ｃｂ、ＣｒはＮＴＳＣ信号などの映像信号に変換され、モニタ５２へ出力される。これにより、被写体像がモニタ５２にリアルタイムで表示される。
【００２３】
ＣＰＵ２６を含むシステムコントロール回路３６はプロセッサ２０全体を制御し、タイミングコントロール回路４２などの各回路に制御信号を出力する。また、システムコントロール回路３６内のＲＯＭ２７には、プロセッサ２０の制御に関するプログラムが格納されている。タイミングコントロール回路４２では、信号処理タイミングを調整するクロックパルスがプロセッサ２０内の各回路に出力され、また、映像信号に付加される同期信号がプロセッサ信号処理回路２８に送られる。
【００２４】
光ファイバー束１３の入射端１３ａと集光レンズとの間に設けられた絞り２２は、被写体に照射する光量を調整するため開閉し、システムコントロール回路３６からペリフェラルコントロール回路３５へ制御信号が送られると、絞り２２を所定量駆動するため駆動信号が絞り２２へ出力される。その結果、被写体へ照射される光の光量が調整される。
【００２５】
ビデオスコープ１０内には、ビデオスコープ１０全体を制御するスコープ制御部１５と、ビデオスコープ１０の特性に関するデータがあらかじめ記憶されたＥＥＰＲＯＭ１４が設けられている。スコープ制御部１５は、初期信号処理回路１９に対して制御信号を送るとともに、適宜ＥＥＰＲＯＭ１４からデータを読み出す。ビデオスコープ１０がプロセッサ２０に接続されている間、スコープ制御部１５とシステムコントロール回路３６との間でデータが相互に伝送され、ホワイトバランス調整処理に関するデータおよびスコープ特性に関するデータがプロセッサ２０のシステムコントロール回路３６へ送られるとともに、ホワイトバランス調整を実行開始させるためのデータがスコープ制御部１５へ送られる。
【００２６】
プロセッサ２０のフロントパネル７０には、ホワイトバランス調整スイッチ７０Ａが設けられており、白色の被写体ＷＷをビデオスコープ１０の先端部へ配置させてホワイトバランス調整スイッチ７０Ａを操作すると、ホワイトバランス調整が実行される。すなわち、初期信号処理回路１９においてＲ，Ｇ，Ｂ信号のＲ，Ｂゲイン値が定められる。ホワイトバランス終了後、設定されたＲ，Ｂゲイン値に基づいてゲインコントロール処理が画像信号に対して施される。これにより、色再現性の良好な被写体像がモニタ５２に表示される。
【００２７】
キーボード５０が操作されると、その操作に応じた信号がシステムコントロール回路３６へ送られ、その信号に基づいてＣＲＴＣ（ＣＲＴコントローラ）４３へ制御信号が送られる。そして、キー操作に応じたキャラクタ信号がＣＲＴＣ４３からプロセッサ信号処理回路２８へ送られ、映像信号にスーパーインポーズされる。これにより、被写体像とともに文字情報がモニタ５２に表示される。
【００２８】
図２は、プロセッサ１０のメインルーチンを示した図である。プロセッサ１０の電源がＯＮになると、メインルーチンが開始される。
【００２９】
ステップＳ１０１では、パラメータなどの初期化が施される。このとき、ホワイトバランスデータＷＢの値が０に設定される。ホワイトバランスデータＷＢは、ホワイトバランス調整が実行されたか否か確認するためのデータであり、実行されている場合は「１」、実行されていない場合は「０」に設定される。そして、ステップＳ１０２では、キーボード５０に関連した処理など様々な処理（通常処理）が施される。電源がＯＦＦになるまで繰り返しステップＳ１０２が実行される。
【００３０】
図３は、ビデオスコープ１０の接続に関連した処理の割り込みルーチンを示す図であり、図４は、モニタ５２の表示画面を示した図である。この割り込みルーチンは、所定の時間間隔でメインルーチンに割り込んで処理を行う。図３、図４を用いて、ホワイトバランス調整に関する映像制御処理について説明する。
【００３１】
ステップＳ２０１では、ビデオスコープ１０がプロセッサ２０に接続されているか否かが判断される。ビデオスコープ１０が接続されていないと判断されると、ステップＳ２０５へ進む。ステップＳ２０５ではホワイトバランスデータＷＢが０に設定され、割り込みルーチンはそのまま終了する。一方、ステップＳ２０１においてビデオスコープ１０が接続されていると判断された場合、ステップＳ２０２へ進む。ステップＳ２０２では、ホワイトバランスデータＷＢが０であるか否かが判断される。すなわち、ホワイトバランス調整がいまだ実行されていないか否か判断される。
【００３２】
ステップＳ２０２においてホワイトバランスデータＷＢが０である、すなわちホワイトバランス調整がいまだ実行されていないと判断された場合、ステップＳ２０４へ進む。ステップＳ２０４では、ビデオスコープ１０によって捉えられる被写体像の一部のみモニタ５２へ表示するようにマスク処理が施される（図４参照）。すなわち、領域ＩＲ内に被写体像の一部が表示されるように、ＣＲＴＣ４３においてマスク表示に応じたキャラクタ信号が出力される。このとき、オペレータにホワイトバランス調整の実行を促す表示を促す文字情報をモニタ５２に表示するため、システムコントロール回路３６からＣＲＴＣ４３へ制御信号が出力される。ＣＲＴＣ４３では、対応するキャラクタ信号が出力される。これにより、文字情報「Ｗｈｉｔｅ  Ｂａｌａｎｃｅ  Ｒｅｑｕｉｒｅｄ」がモニタ５２に表示される（図４参照）。ステップＳ２０４が実行されると、割り込みルーチンは終了する。
【００３３】
一方、ステップＳ２０２においてホワイトバランスデータＷＢが０ではない、すなわちホワイトバランス調整はすでに行われたと判断された場合、ステップＳ２０３へ進む。ステップＳ２０３では、マスク表示から通常表示へ切り替えるため、システムコントロール回路３６からＣＲＴＣ４３へ制御信号が送られる。これにより、被写体像がモニタ５２の画面全体に通常表示される（図４参照）。ステップＳ２０３が実行されると、割り込みルーチンは終了する。
【００３４】
図５は、ホワイトバランス調整処理ルーチンを示した図である。オペレータがホワイトバランス調整スイッチ７０Ａを操作するとルーチンが開始される。
【００３５】
ステップＳ３０１では、ホワイトバランス調整を実行開始するためのコマンドがビデオスコープ１０へ送信される。これにより初期信号処理回路１９では、白色被写体ＷＷの撮影による画像信号に対してホワイトバランス調整処理が実行され、Ｒ、Ｂゲイン値が定められる。
【００３６】
ステップＳ３０２では、ホワイトバランス調整処理が終了したことを知らせるデータがビデオスコープ５０からプロセッサ１０へ送信されたか否かが判断される。終了を示すデータが送信されたと判断された場合、ステップＳ３０３へ進む。一方、終了を知らせるデータが送信されていないと判断された場合、繰り返しステップＳ３０２が実行される。
【００３７】
ステップＳ３０３では、ホワイトバランス調整終了のためホワイトバランスデータＷＢが１に設定される。ステップＳ３０３が実行されると、ホワイトバランス調整処理ルーチンは終了する。
【００３８】
このように本実施形態によれば、ビデオスコープ１０がプロセッサ２０に接続されると、ホワイトバランス調整されていないと判断され（ＷＢ＝０）、ホワイトバランス調整スイッチ７０Ａの操作によりホワイトバランス調整処理が実行されるまで、被写体像の一部のみモニタ５２に表示される（Ｓ２０４）。そして、ホワイトバランス調整が完了すると（ＷＢ＝１）、被写体像がモニタ５２全体に通常表示される（Ｓ２０３）。
【００３９】
これにより、オペレータは内視鏡作業を進行させることはできなくなる。しかしながら、ホワイトバランス調整時には白い被写体ＷＷをビデオスコープ先端部から所定距離だけ離れた場所にある程度正確に配置する必要があり、オペレータは、この一部領域の映像から適正な位置で白い被写体ＷＷが配置されているか、すなわち適正にホワイトバランス調整処理が行われているか確認することができる。
【００４０】
次に、図６、図７を用いて、第２の実施形態について説明する。第２の実施形態では、ランプから安定して光が放射されるまでの間、モニタ上には被写体像を一切表示せず、さらに、ランプの種類に応じて被写体像を通常表示させない期間を変える。本実施形態では、キセノンランプ、ハロゲンランプ、メタルハライドランプのうちいずれかのランプが適用されている。それ以外の構成については、実質的に第１の実施形態と同じである。
【００４１】
図６は、ビデオスコープ１０の接続に関連した処理の割り込みルーチンを示す図であり、図７は、モニタ５２の表示画面を示した図である。この割り込みルーチンは、所定の時間間隔でメインルーチンに割り込んで処理を行う。
【００４２】
ステップＳ４０１、Ｓ４０２の実行は、それぞれ図３のステップＳ２０１、Ｓ２０２の実行と同じである。すなわち、ビデオスコープ１０の接続が確認され、ホワイトバランス調整が完了しているか確認される。またステップ４１５の実行は、図３のステップ２０５の実行に対応する。
【００４３】
ステップＳ４０４では、ＲＯＭ２７にあらかじめ記憶されているランプの種類に関するデータに基づき、ランプ２４がキセノンランプであるか否かが判断される。ランプ２４がキセノンランプであると判断された場合、ステップＳ４０５へ進む。ステップＳ４０５では、ランプスイッチがＯＮになってからの経過時間Ｔがキセノンランプに応じた準備期間Ｔ１を超えているか否かが判断される。準備期間Ｔ１は、キセノンランプを点灯させた時に光の波長分布にばらつきがなく安定した光が放射するようになるまでの期間を示す。
【００４４】
ステップＳ４０５において経過時間Ｔが期間Ｔ１を超えていない場合、ステップＳ４０７に移る。ステップＳ４０７では、モニタ５２に被写体像が一切表示されないようにシステムコントロール回路３６からＣＲＴＣ４３へ制御信号が送られる（図７参照）。ステップＳ４０７が実行されると、割り込みルーチンは終了する。一方、ステップＳ４０５において時間Ｔが期間Ｔ１を超えている場合、ステップＳ４０７に移り、ビデオスコープ１０によって捉えられる被写体像の一部を領域ＩＲに表示するマスク表示処理が施される（図７参照）。
【００４５】
一方、ステップＳ４０４においてランプ２４がキセノンランプではないと判断された場合、ステップＳ４０８進み、ランプ２４がハロゲンランプであるか否かが判断される。ランプ２４がハロゲンランプであると判断された場合、ステップＳ４０９に進み、経過時間Ｔがハロゲンランプに応じた準備期間Ｔ２を超えているか否かが判断される。経過時間Ｔが準備期間Ｔ２を超えていないと判断された場合、ステップＳ４１１へ進み、被写体像が全面的に非表示になる。一方、経過時間Ｔが準備期間Ｔ２を超えていると判断された場合、ステップＳ４１０へ進み、マスク処理が施される。
【００４６】
一方、ステップＳ４０８においてランプ２４がハロゲンランプではない、すなわちメタルハライドランプであると判断された場合、ステップＳ４１２に進み、経過時間Ｔがメタルハライドランプに応じた準備期間Ｔ３を超えているか否かが判断される。経過時間Ｔが準備期間Ｔ３を超えていないと判断された場合、ステップＳ４１４へ進み、被写体像が全面的に非表示になる。一方、経過時間Ｔが準備期間Ｔ３を超えていると判断された場合、ステップＳ４１３へ進み、マスク処理が施される。
【００４７】
ホワイトバランス調整処理が実行され、ステップＳ４０２においてホワイトバランスデータＷＢが１であると判断された場合、ステップＳ４０３へ進み、被写体像が通常表示される（図４参照）。なお、準備期間Ｔ１、Ｔ２、Ｔ３の長さを比べると、この順に従って大きい（Ｔ１＜Ｔ２＜Ｔ３）。
【００４８】
以上のように第２の実施形態によれば、ランプ２４の種類に応じて準備期間の間、被写体像は一切モニタ５２に表示されない。白い被写体ＷＷをもモニタ５２上で観察できなるため、オペレータは準備期間の間はホワイトバランス調整を実行することができなくなる。その結果、安定した光がランプ２４から放射された状態においてホワイトバランス調整処理が実行され、被写体像の色再現性がより良好となる。
【００４９】
なお、図４に示したマスク表示に限定されず、白い被写体ＷＷを確認することは可能であるが被写体像の観察に支障を来たし、内視鏡作業を進行させることができないような映像を表示すればよい。あるいは、映像表示に限定されず、内視鏡作業を進行できなくするような（大音量のブザーを鳴らすなど）手段を適用してもよい。
【００５０】
本実施形態ではビデオプロセッサ１０は光源部と信号処理部とが一体的に構成されているが、光源部と信号処理部とが独立してユニット化される構成にしてもよい。
【００５１】
【発明の効果】
以上のように本発明によれば、光源特性に対応していないホワイトバランス調整に基づいて被写体像を表示することを防止することができる。
【図面の簡単な説明】
【図１】第１の実施形態である電子内視鏡装置のブロック図である。
【図２】プロセッサのメインルーチンを示した図である。
【図３】ビデオスコープの接続に関連した処理の割り込みルーチンを示す図である。
【図４】モニタの表示画面を示した図である。
【図５】ホワイトバランス調整処理ルーチンを示した図である。
【図６】第２の実施形態における、ビデオスコープの接続に関連した処理の割り込みルーチンを示す図である。
【図７】第２の実施形態におけるモニタの表示画面を示した図である。
【符号の説明】
１０  ビデオスコープ
１２  ＣＣＤ（撮像素子）
１４  ＥＥＰＲＯＭ（スコープメモリ）
１９  初期信号処理回路（信号処理手段）
２０  プロセッサ
２４  ランプ（光源）
３６  システムコントロール回路
【図１】
2004344363.tif 000003
【図２】
2004344363.tif 000004
【図３】
2004344363.tif 000005
【図４】
2004344363.tif 000006
【図５】
2004344363.tif 000007
【図６】
2004344363.tif 000008
【図７】
2004344363.tif 000009